(57)【要約】【課題】本発明の課題は、ＥＨＰ単独またはＧＨＰ単独での運転でも空間を均一に空調するように、それぞれの室内機の配置を支援するシステムを提供することにある。【解決手段】本発明に係る空調機配置支援システム１は、同一の空間を空調する第１室内機と第２室内機との位置情報を導出する。第１室内機が属する第１空気調和装置と第２室内機が属する第２空気調和装置とは動力源が異なる。そして、空調機配置支援システムは、情報記憶部１６と配置パターン導出部１３ａとを備える。情報記憶部は、第１室内機および第２室内機の室内機情報と空間の空間情報とを有する。配置パターン導出部は、室内機情報と空間情報とに基づいて位置情報を配置パターンとして導出する。また、配置パターンは、第１室内機のみの運転の際に空間を略均等に空調し、かつ、第２室内機のみの運転の際に空間を略均等に空調する、第１室内機および第２室内機の位置である。【選択図】図１
2009032065.tif 000002
【特許請求の範囲】
【請求項１】
同一の空間を空調する、第１空気調和装置に属する第１室内機と、前記第１空気調和装置と動力源が異なる第２空気調和装置に属する第２室内機との前記空間に対する位置情報を導出する空調機配置支援システムであって、
前記第１室内機および前記第２室内機の室内機情報と、前記空間の空間情報とを有する情報記憶部（１６）と、
前記室内機情報と、前記空間情報とに基づいて前記位置情報を配置パターンとして導出する配置パターン導出部（１３ａ）と、
を備え、
前記配置パターン導出部は、前記第１室内機のみの運転の際に前記空間を略均等に空調し、かつ、前記第２室内機のみの運転の際に前記空間を略均等に空調する、前記第１室内機および前記第２室内機の位置を、前記配置パターンとして導出する、
空調機配置支援システム（１）。
【請求項２】
前記第１室内機および前記第２室内機は、それぞれ複数台有り、
前記配置パターン導出手段は、ある１台の前記第１室内機から残りの複数の前記第１室内機までの第１間隔が少なくとも第１距離（ａ１，ａ２）以上であり前記第１間隔の最短が前記第１距離になるように、かつ、ある１台の前記第２室内機から残りの複数の前記第２室内機までの第２間隔が少なくとも第２距離（ａ３，ａ４）以上であり前記第２間隔の最短が前記第２距離になるように、前記第１室内機および前記第２室内機の位置を前記配置パターンとして導出する、
請求項１に記載の空調機配置支援システム（１）。
【請求項３】
前記配置パターン導出手段は、格子（Ｇｒ１〜Ｇｒ４）の交点に位置するように、前記第１室内機および前記第２室内機の位置を前記配置パターンとして導出する、
請求項２に記載の空調機配置支援システム（１）。
【請求項４】
前記配置パターンは、複数導出され、
複数の前記配置パターンを表示可能な表示部（３２）をさらに備える、
請求項１から３のいずれかに記載の空調機配置支援システム（１）。
【請求項５】
前記室内機情報は、前記第１室内機の台数および前記第２室内機の台数を含む、
請求項１から４のいずれかに記載の空調機配置支援システム（１）。
【請求項６】
前記空間情報は、前記空間の床面積および前記空間の形状を含む、
請求項１から５のいずれかに記載の空調機配置支援システム（１）。
【発明の詳細な説明】
【技術分野】
【０００１】
本発明は、それぞれ別系統で同一空間を空調する電気式空気調和装置とガス式空気調和装置とをその空間に最適に空調できるようにそれぞれの室内機の配置支援するシステムに関する。
【背景技術】
【０００２】
従来、エンジンによって駆動される圧縮機と電動モータによって駆動される圧縮機を並列に組み込んだヒートポンプ式空気調和装置が存在する（特許文献１参照）。
【特許文献１】特開２００７−１０２９１号公報
【発明の開示】
【発明が解決しようとする課題】
【０００３】
ところで、電力のデマンド対策およびエネルギーコスト対策の観点から、電気式空気調和装置（ＥＨＰ）とガス式空気調和装置（ＧＨＰ）とを組み合わせて空気調和を行う方が、それぞれ単独の場合よりも有利な場合がある。このため、電気式空気調和装置とガス式空気調和装置とを組み合わせて空気調和を行うことが検討されている。
【０００４】
しかしながら、このようにＥＨＰとＧＨＰとを混在させて空間を空調する場合においては、ＥＨＰ系統単独あるいはＧＨＰ系統単独で運転する場合があり、それぞれの室内機の配置状況によっては、空間に対して偏って空調してしまう恐れがある。このため、ＥＨＰ単独で空調を行う場合でも、ＧＨＰ単独で空調を行う場合でも均一に空間を空調できるように室内機を配置する必要がある。
【０００５】
本発明の課題は、ＥＨＰ単独運転またはＧＨＰ単独運転の場合でも空間を均一に空調するように、ＥＨＰ室内機およびＧＨＰ室内機の配置を支援するシステムを提供することにある。
【課題を解決するための手段】
【０００６】
第１発明に係る空調機配置支援システムは、同一の空間を空調する第１室内機と第２室内機との、空間に対する位置情報を導出する。第１室内機は、第１空気調和装置に属する。また、第２室内機は、第１空気調和装置と動力源が異なる第２空気調和装置に属する。そして、空調機配置支援システムは、情報記憶部と配置パターン導出部とを備える。情報記憶部は、第１室内機および第２室内機の室内機情報と、空間の空間情報とを有する。配置パターン導出部は、室内機情報と、空間情報とに基づいて第１室内機および第２室内機の位置情報を、配置パターンとして導出する。配置パターン導出部は、第１室内機のみの運転の際に空間を略均等に空調し、かつ、第２室内機のみの運転の際に空間を略均等に空調する、第１室内機および第２室内機の位置を、配置パターンとして導出する。
【０００７】
本発明では、例えば、第１室内機の台数、第１室内機の容量、第２室内機の台数、第２室内機の容量などの室内機情報と、空間の形状、空間の床面積、空間の天井高などの空間情報とに基づいて第１室内機の位置と第２室内機の位置を配置パターンとして導出する。そして、この配置パターンは、第１室内機のみの運転の際に空間を略均等に空調できる第１室内機の位置と、第２室内機のみの運転の際に空間を略均等に空調できる第２室内機の位置として導出される。
【０００８】
したがって、第１室内機が属する第１空気調和装置が単独で運転する場合、あるいは、第２室内機が属する第２空気調和装置が単独で運転する場合であったとしても、空間を略均等に空調できる。
【０００９】
第２発明に係る空調機配置支援システムは、第１発明に係る空調機配置支援システムであって、第１室内機および第２室内機は、それぞれ複数台有る。配置パターン導出部は、ある１台の第１室内機から残りの複数の第１室内機までの第１間隔が少なくとも第１距離以上であり第１間隔の最短が第１距離になるように、かつ、ある１台の第２室内機から残りの複数の第２室内機までの第２間隔が少なくとも第２距離以上であり第２間隔の最短が第２距離になるように、第１室内機および第２室内機の位置を配置パターンとして導出する。
【００１０】
本発明では、第１室内機および第２室内機は複数ある。そして、それらの配置パターンは、ある１台の第１室内機から残りの複数の第１室内機までの第１間隔が少なくとも第１距離以上であり第１間隔の最短が第１距離になるように、かつ、ある１台の第２室内機から残りの複数の第２室内機までの第２間隔が少なくとも第２距離以上であり第２間隔の最短が第２距離になるように、複数の室内機を配置するものである。
【００１１】
このように、複数の第１室内機を少なくとも第１距離以上離して配置しており、また、１台の第１室内機の半径第１距離の円周上に必ず他の第１室内機が１台以上存在するように配置できるため、第１空気調和装置単独で空間の空調を行う場合であっても、空間を極力均等に空調することができる。同様に、複数の第２室内機を少なくとも第２距離以上離して配置しており、また、１台の第２室内機の半径第２距離の円周上に必ず他の第２室内機が１台以上存在するように配置できるため、第２空気調和装置単独で空間の空調を行う場合であっても、空間を極力均等に空調することができる。
【００１２】
第３発明に係る空調機配置支援システムは、第２発明に係る空調機配置支援システムであって、配置パターン導出部は、格子の交点に位置するように、第１室内機および第２室内機の位置を配置パターンとして導出する。
【００１３】
本発明では、配置パターンを、第１室内機および第２位室内機の位置が格子の交点に位置するように導出する。したがって、格子の交点に位置するように、複数の第１室内機および複数の第２室内機を配置できるため、容易に配置パターンを導出できる。
【００１４】
第４発明に係る空調機配置支援システムは、第１発明から第３発明のいずれかに係る空調機配置支援システムであって、配置パターンは、複数導出される。そして、この空調機配置支援システムは、表示部をさらに備える。表示部は、複数の配置パターンを表示可能である。
【００１５】
本発明では、複数の配置パターンが導出され、例えば、ディスプレイなどの表示部に表示される。このように、配置パターンが表示部に表示されるため、顧客は、室内機の配置を簡単に検討できる。
【００１６】
第５発明に係る空調機配置支援システムは、第１発明から第４発明のいずれかに係る空調機配置支援システムであって、室内機情報は、第１室内機の台数および第２室内機の台数を含む。
【００１７】
本発明では、室内機情報として、第１室内機の台数および第２室内機の台数が含まれている。したがって、空間をより略均等に空調するように配置パターンを導出することができる。
【００１８】
第６発明に係る空調機配置支援システムは、第１発明から第５発明のいずれかに係る空調機配置支援システムであって、空間情報は、空間の床面積および空間の形状を含む。
【００１９】
本発明では、空間情報は、空間の床面積および空間の形状を含む。したがって、本発明は、空間をより略均等に空調するように配置パターンを導出することができる。
【発明の効果】
【００２０】
第１発明に係る空調機配置支援システムでは、第１室内機が属する第１空気調和装置が単独で運転する場合、あるいは、第２室内機が属する第２空気調和装置が単独で運転する場合であったとしても、空間を略均等に空調できる。
【００２１】
第２発明に係る空調機配置支援システムでは、複数の第１室内機を少なくとも第１距離以上離して配置しており、また、１台の第１室内機の半径第１距離の円周上に必ず他の第１室内機が１台以上存在するように配置できるため、第１空気調和装置単独で空間の空調を行う場合であっても、空間を極力均等に空調することができる。同様に、複数の第２室内機を少なくとも第２距離以上離して配置しており、また、１台の第２室内機の半径第２距離の円周上に必ず他の第２室内機が１台以上存在するように配置できるため、第２空気調和装置単独で空間の空調を行う場合であっても、空間を極力均等に空調することができる。
【００２２】
第３発明に係る空調機配置支援システムでは、格子の交点に位置するように、複数の第１室内機および複数の第２室内機を配置できるため、容易に配置パターンを導出できる。
【００２３】
第４発明に係る空調機配置支援システムでは、配置パターンが表示部に表示されるため、顧客は、室内機の配置を簡単に検討できる。
【００２４】
第５発明に係る空調機配置支援システムでは、空間をより略均等に空調するように配置パターンを導出することができる。
【００２５】
第６発明に係る空調機配置支援システムでは、空間をより略均等に空調するように配置パターンを導出することができる。
【発明を実施するための最良の形態】
【００２６】
以下、図面に基づいて、本発明に係る空調機配置支援システム１の実施形態について説明する。
【００２７】
＜空調機配置支援システムの構成＞
図１は、本発明の一実施形態に係る空調機配置支援システム１の概略構成図である。空調機配置支援システム１は、顧客が所有しているビルなどの建物内の空間を空調する空気調和装置を導入あるいは更新する際に、顧客の要望などの顧客情報に応じて、その空間に最適な空気調和装置を、エネルギーコスト、ＣＯ２排出量、導入コスト、ＧＨＰ寿命などの観点から選定する装置である。
【００２８】
空調機配置支援システム１は、主に、本体１０、入力装置３１、およびディスプレイ３２を備える。以下、これらの構成要素について詳述した後に空調機配置支援システム１の動作についても説明する。
【００２９】
（１）本体
本体１０は、図１に示されるように、主に、中央処理部１１、メインメモリ１５、ハードディスク１６、接続部１４、ＩＤＥインターフェイス１７、入力インターフェイス１８、およびディスプレイインターフェイス１９から構成されている。そして、この本体１０では、中央処理部１１が第１バス線２１を介して、メインメモリ１５が第２バス線２２を介して、各種インターフェイス１７〜１９が第３バス線２３を介して接続部１４に接続されている。以下、これらの構成要素について説明する。
【００３０】
（中央処理部）
中央処理部１１は、例えば、マイクロプロセッサと呼ばれる半導体チップ等であって、主に、制御部１２および演算部１３から構成される（他に１次キャッシュメモリや２次キャッシュメモリ等を含んでいてもよい）。演算部１３は、その役割から室内機の配置パターン（後述参照）を導出する配置パターン導出部１３ａを有している。
【００３１】
（メインメモリ）
メインメモリ１５は、例えば、ＲＡＭ（ランダムアクセスメモリ）等の半導体チップである。
【００３２】
（接続部）
接続部１４は、チップセット等の半導体チップである。
【００３３】
（ハードディスク）
ハードディスク１６には、オペレーティングシステム（図示せず）、デバイスドライバ（図示せず）等のプログラム等が格納されている。なお、このハードディスク１６は、外付けタイプであっても構わない。
【００３４】
オペレーティングシステムは、例えば、ＷＩＮＤＯＷＳ（登録商標）、ＭＡＣ  ＯＳ（登録商標）、ＯＳ／２、ＵＮＩＸ（登録商標）（例えば、Ｌｉｎｕｘ（登録商標）等）、あるいはＢｅＯＳ（登録商標）等であって、各部１４〜１６、各種インターフェイス１７〜１９、各装置３１，３２等のハードウェア管理や、顧客インターフェイスの提供、各種データの管理、各種アプリケーションの共通部分の処理等を行う。
【００３５】
デバイスドライバは、ハードディスク１６、接続部１４、および各装置３１，３２それぞれに対して用意されている専用プログラムであって、オペレーティングシステムがハードディスク１６、接続部１４、および各装置３１，３２を制御するための橋渡しを行う。
【００３６】
（インターフェイス）
ＩＤＥ（Integrated Drive Electronics）インターフェイス１７は、ハードディスク１６を接続部１４に接続する。入力インターフェイス１８は、例えば、ＰＳ／２、ＵＳＢ、ＩＥＥＥ１２８４、ＲＳ２３２、あるいはＩｒＤＡ（Infrared Data Association）等のインターフェイスであって、メインメモリ１５にデータを入力するためのキーボード、マウス、スキャナ、あるいはＯＣＲ（Optical Character Reader）等といった入力装置３１を接続する。ディスプレイインターフェイス１９は、例えば、ＡＧＰ（Accelerated Graphics Port）、ＰＣＩ（Peripheral Component Interconnect）、あるいはＲＳ２３２等のインターフェイス等であって、メインメモリ１５から送信されてきたデータを文字や画像として表示するためのＣＲＴディスプレイ、液晶ディスプレイ、あるいはプラズマディスプレイ等といったディスプレイ３２を接続する。
【００３７】
（２）入力装置
入力装置３１は、例えば、キーボード、マウス、スキャナ、あるいはＯＣＲ（Optical Character Reader）等の入力装置である。
【００３８】
（３）ディスプレイ
ディスプレイ３２は、例えば、ＣＲＴディスプレイ、液晶ディスプレイ、あるいはプラズマディスプレイ等の情報表示装置である。
【００３９】
＜空調機配置支援システムの動作＞
次に、図２を用いて空調機配置支援システム１の動作について説明する。
【００４０】
制御部１２は、図２に示されるように、メインメモリ１５に一時記憶されるプログラムを読み込み（Ｆｄ５参照）、読み込んだプログラムに従って各部１４〜１６および各装置３１，３２に動作を指示する（Ｆｃ１〜Ｆｃ５参照）。演算部１３は、制御部１２の命令に従ってメインメモリ１５から必要なデータを取得して（Ｆｄ１参照）演算処理（例えば、算術演算処理や論理演算処理等）を行う。メインメモリ１５は、プログラムやデータ等をハードディスク１６から取得して（Ｆｄ３参照）一時記憶したり、入力装置３１において入力されたデータを一時記憶したり（Ｆｄ６参照）、演算部１３から送信されるデータ等（Ｆｄ２参照）を一時記憶したりする。また、このメインメモリ１５は、制御部１２の命令に応じて一時記憶しているデータ等を各部１４〜１６および各装置３１，３２に送信する（Ｆｄ１、Ｆｄ４、およびＦｄ７参照）。ハードディスク１６は、制御部１２の命令に応じてメインメモリ１５にプログラムやデータ等を供給したり（Ｆｄ３参照）メインメモリ１５から送信されるデータ等を格納したりする（Ｆｄ４参照）。
【００４１】
＜室内機配置方法＞
ＥＨＰ室内機およびＧＨＰ室内機の配置方法は、まず、室内機を配置する格子図を作成し、その格子図の交点上に室内機を配置する。すなわち、本実施形態の空調機配置支援システム１は、空間の平面図上に室内機の配置場所を決めてから、どの配置場所にＥＨＰ室内機を配置するか、あるいは、どの配置場所にＧＨＰ室内機を配置するかを示す配置パターンを導出する。なお、ここにいう「格子図」とは、所定間隔で並ぶ複数の縦線と、縦線に対して垂直に交わり所定間隔で並ぶ複数の横線とにより構成される図のことである。また、縦線と横線との交点を格子点と呼ぶことにする。
【００４２】
以下、格子図の作成方法、室内機の配置方法の順で説明する。
【００４３】
（１）格子図の作成方法
図３は、格子図を作成する流れを示すフローチャート図である。以下、図３にしたがって、格子図の作成方法について説明する。また、図４は、空間の平面図（上面視における空間の境界としての壁Ｗ１）であり、格子図作成フローを説明するための参考図である。
【００４４】
ステップＳ１では、空間の床面積、室内機の台数から室内機１台が空調する面積（単位空調面積）が算出される。なお、空間の床面積および室内機の台数は、後述する空間情報等入力画面ＳＣ１により、あらかじめ顧客が入力した情報に基づく。ステップＳ１が終了すると、ステップＳ２へ移行する。
【００４５】
ステップＳ２では、単位空調面積の平方根が第１室内機間隔ａ１として算出される。なお、ステップＳ２で、算出される第１室内機間隔ａ１は、単位空調面積の平方根の値を小数点以下の位で四捨五入した値となる。なお、ここで、第１室内機間隔ａ１を、単位空調面積の平方根の値を小数点以下の位で四捨五入した値としているが、四捨五入に限らずに、小数点以下の切り捨て、または、小数点以下の切り上げなどでも構わない。また、四捨五入の位は、小数点以下でなくとも構わない。ステップＳ２が終了すると、ステップＳ３へ移行する。
【００４６】
ステップＳ３では、単位格子の一辺の長さが第１室内機間隔ａ１の正方格子を第１室内機配置格子Ｇｒ１として描く（図４参照）。ステップＳ３が終了すると、ステップＳ４へ移行する。
【００４７】
ステップＳ４では、室内機の台数が奇数であるか偶数であるかを確認する。室内機の台数が奇数であればステップＳ５へ移行し、室内機の台数が偶数であればステップＳ８へ移行する（図４の例では、１８台であり偶数であるのでステップＳ８へ移行することになる）。なお、ステップＳ５およびステップＳ８では、ステップＳ３で描かれた第１室内機配置格子Ｇｒ１を空間の平面図に位置づける。この第１室内機配置格子Ｇｒ１を空間の平面図に位置づける方法は、室内機の台数によって異なり、室内機の台数が奇数の場合と、偶数の場合とに分けられる。このため、ステップＳ４では、室内機の台数が奇数の場合にはステップＳ５へ移行させ、室内機の台数が偶数の場合にはステップＳ８へ移行させている。ここでは、図面による説明を、ステップＳ８以降の室内機の台数が偶数の場合のみ行い、ステップＳ５以降の室内機の台数が奇数の場合については省略する。
【００４８】
ステップＳ５では、第１室内機配置格子Ｇｒ１の格子点が空間の平面図の重心Ｇ１と一致するように配置される（第１格子配置パターン）。なお、重心Ｇ１と一致する格子点を第１中心点と呼ぶことにする。すなわち、ステップＳ５では、室内機の台数が奇数であることから、平面図の重心Ｇ１に必ず室内機が１台配置されるように第１室内機配置格子Ｇｒ１を位置づけている。なお、第１室内機配置格子Ｇｒ１は、その横線が空間の平面図の東西方向と一致するように作成される。ステップＳ５が終了すると、ステップＳ６へ移行する。
【００４９】
ステップＳ６では、第１配置パターンにおける第１室内機配置格子Ｇｒ１を、第１中心点を基点に角度５度ずつ０度〜８５度まで回転させて、空間の平面図に対する第１室内機配置格子Ｇｒ１（第１回転格子パターン）を１８パターン作成する。ステップＳ６が終了すると、ステップＳ７へ移行する。
【００５０】
ステップＳ７では、１８パターンの第１回転格子パターンにおいて、空間の平面図内部に第１室内機配置格子Ｇｒ１の格子点が少なくとも台数分だけ収まるかどうかを確認し、台数分収まっていない第１回転格子パターンを削除する。ステップＳ７が終了すると、ステップＳ１１へ移行する。
【００５１】
ステップＳ８では、第１室内機配置格子Ｇｒ１のある縦線とその隣の縦線との中心で横線上にある第２中心点が空間の平面図の重心Ｇ１と一致する第２配置パターン（図４参照）と、ある単位格子の対角線の中心（第３中心点）が空間の平面図の重心Ｇ１と一致する第３配置パターン（図５参照）とが作成される。なお、第１室内機配置格子Ｇｒ１は、第２配置パターンおよび第３配置パターンともにその横線が空間の平面図の東西方向と一致するように作成される。ステップＳ８が終了すると、ステップＳ９へ移行する。
【００５２】
ステップＳ９では、第２配置パターンにおける第１室内機配置格子Ｇｒ１を、第２中心点を基点に角度５度ずつ０度〜１７５度まで回転させて、空間の平面図に対する第１室内機配置格子Ｇｒ１（第２回転格子パターン）を３６パターン作成する。さらに、第３配置パターンにおける第１室内機配置格子Ｇｒ１を、第２中心点を基点に角度５度ずつ０度〜８５度まで回転させて、空間の平面図に対する第１室内機配置格子Ｇｒ１（第３回転格子パターン）を１８パターン作成する。すなわち、第２回転格子パターンと第３回転格子パターンとの合計は、５４パターンとなる。ステップＳ９が終了すると、ステップＳ１０へ移行する。図６は、第２配置パターン（図４）を４５度回転させた第２回転格子パターンの例である。
【００５３】
ステップＳ１０では、３６パターンの第２回転格子パターンと１８パターンの第３回転格子パターンとにおいて、空間の平面図（壁Ｗ１の内側）に第１室内機配置格子Ｇｒ１の格子点少なくとも台数分だけ収まるかどうかを確認し、台数分収まっていないパターンを削除する（図５の第３配置パターンは、ここで削除される）。ステップＳ１０が終了すると、ステップＳ１１へ移行する。
【００５４】
ステップＳ１１では、壁Ｗ１に最も近い格子点と壁Ｗ１との距離（壁交点距離）が第１室内機間隔ａ１の３分の１よりも小さいか否かを確認する。具体的には、壁Ｗ１から第１室内機間隔ａ１の３分の１だけ内側にある仮想壁Ｗ２の中に第１室内機配置格子Ｇｒ１の格子点が少なくとも室内機の台数分だけ収まっているかどうかを確認している（図６参照）。壁交点距離が第１室内機間隔ａ１の３分の１よりも小さい場合にステップＳ１２へ移行し、壁交点距離が第１室内機間隔ａ１の３分の１よりも大きい場合にこの格子図作成フローチャートを終了する。
【００５５】
ステップＳ１２では、第１室内機間隔ａ１の９０％の長さの第２室内機間隔ａ２として、単位格子の大きさを縮小した第２室内機配置格子Ｇｒ２を作成する（図７参照）。ここで、図７は、図６に対してステップＳ１２の処理をしたものである。なお、この場合に、第２室内機配置格子Ｇｒ２は、第１室内機配置格子Ｇｒ１を、第１中心点（重心Ｇ１）を基点に９０％の大きさに縮小される。ステップＳ１２が終了すると、ステップＳ１１へ戻る。
【００５６】
（２）室内機の配置方法
上述のように第１室内機配置格子Ｇｒ１または第２室内機配置格子Ｇｒ２が作成されると、その台数分ずつのＥＨＰ室内機とＧＨＰ室内機とを第１室内機配置格子Ｇｒ１または第２室内機配置格子Ｇｒ２の格子点に配置する。ここで、室内機は、ＥＨＰ室内機が単独で運転されたとき、あるいは、ＧＨＰ室内機が単独で運転されたときに、空間をムラがないように均等に空調するような配置にする。このため、図８のフローチャートにより、ＥＨＰ室内機とＧＨＰ室内機との配置パターンが導出される。以下、図８に基づいて、ＥＨＰ室内機とＧＨＰ室内機との配置パターン導出フローチャートについて説明する。
【００５７】
ステップＳ２１では、ＥＨＰ室内機の台数とＧＨＰ室内機の台数とで少ない方の台数（少数台数）を選択する。なお、ＥＨＰ室内機の台数とＧＨＰ室内機の台数とが等しい場合は、どちらかを選択する。ステップＳ２１が終了すると、ステップＳ２２へ移行する。
【００５８】
ステップＳ２２では、以下の第１間隔Ａ１から第５間隔Ａ５までの５つの間隔をステップＳ２１において選択された少ない室内機同士の間隔（第３室内機間隔ａ３，ａ４）とする第３室内機配置格子Ｇｒ３，Ｇｒ４を作成する（図９〜図１１参照）。ここで、第１間隔Ａ１は単位格子の対角線の長さであり、第２間隔Ａ２は単位格子の２辺分の長さであり、第３間隔Ａ３は単位格子２つ分の長方形の対角線の長さであり、第４間隔Ａ４は単位格子４つ分の正方形の対角線の長さであり、第５間隔Ａ５は単位格子の３辺分の長さである（図９参照）。なお、ここでは説明の簡略化のため第３室内機間隔ａ３として第１間隔Ａ１から第５間隔Ａ５までの５つの間隔を利用しているが、これに限るものではなく、第５間隔Ａ５よりも大きい辺を単位格子の一辺とするようにしても構わない。ステップＳ２２が終了すると、ステップＳ２３へ移行する。
【００５９】
ステップＳ２３では、ステップＳ２２で作成された５パターンの第３室内機配置格子Ｇｒ３を第１室内機配置格子Ｇｒ１または第２室内機配置格子Ｇｒ２と重ね合わせ、５パターンの第３室内機配置格子Ｇｒ３，Ｇｒ４の内で重なった格子点（一致格子点）の数が最も少数台数と近いパターンの第３室内機配置格子Ｇｒ３，Ｇｒ４を最適第３室内機配置格子として決定する。ここでは、最適第３室内機配置格子の単位格子の一辺の長さが、第１間隔Ａ１から第５間隔Ａ５までの間隔の内で、どれが最適かを判定している。ステップＳ２３が終了すると、ステップＳ２４へ移行する。
【００６０】
ステップＳ２４では、最適第３室内機配置格子の第１室内機配置格子Ｇｒ１または第２室内機配置格子Ｇｒ２への配置パターンをさらに作成する。ステップＳ２４が終了すると、ステップＳ２５へ移行する。
【００６１】
ステップＳ２５では、一致格子点の数が少数台数と一致しない場合の数あわせを行う。すなわち、一致格子点の数が少数台数より多い場合には一致格子点のどれかに少数台数の室内機を配置しないようにし、一致格子点の数が少数台数より少ない場合には一致格子点以外の第１室内機配置格子Ｇｒ１または第２室内機配置格子Ｇｒ２の格子点に少数台数の室内機を配置して最終配置パターンとする。ステップＳ２５が終了すると、ステップＳ２６へ移行する。
【００６２】
ステップＳ２６では、最終配置パターンをディスプレイに表示させる。ステップＳ２６が終了すると、この配置パターン導出フローを終了する。
【００６３】
＜各種画面＞
ディスプレイは、顧客が後述する空間情報や室内機の台数情報を入力する空間情報等入力画面ＳＣ１と、入力された各種情報に基づいて上述した格子図作成フローおよび配置パターン導出フローの結果を表示する配置情報表示画面ＳＣ２とを表示させる。
【００６４】
以下、図１２〜図１４に基づいて、空間情報等入力画面ＳＣ１および配置情報表示画面ＳＣ２について説明する。
【００６５】
（１）空間情報等入力画面
空間情報等入力画面ＳＣ１では、空間の面積、平面図などの空間情報と、ＥＨＰ室内機の台数と、ＧＨＰ室内機の台数とを入力できる。なお、空間情報等入力画面ＳＣ１では、キーボード、マウス、スキャナなどの入力装置において各種情報を入力する。これらの各種情報は、空間情報等入力画面ＳＣ１の面積情報入力欄ＥＢ１１、ＥＨＰ室内機台数入力欄ＥＢ１２、ＧＨＰ室内機台数入力欄ＥＢ１３、および平面図読込欄ＥＢ１４に入力できる。面積情報入力欄ＥＢ１１は、テキスト入力欄となっており、空間の床面積を入力できる。ＥＨＰ室内機台数入力欄ＥＢ１２およびＧＨＰ室内機台数入力欄ＥＢ１３は、テキスト入力欄となっており、室内機の台数を入力できる。また、平面図読込欄ＥＢ１４には、スキャナや画像などから平面図の形状を読み込むことができ、取り込んだ画像を選択して平面図読込ボタンＢ１１により読み込める。ここから読み込んだ空間の形状と面積とから空間の形状と大きさとを把握している。空間情報等入力画面ＳＣ１右下には、ＯＫボタンＢ１２とクリアボタンＢ１３とがある。各種情報を全て入力したあとに、ＯＫボタンＢ１２をクリックすることで、次画面の配置情報表示画面ＳＣ２（後述参照）へと遷移する。また、クリアボタンＢ３２をクリックすると、入力した各種情報をクリアできる。
【００６６】
（２）配置情報表示画面
配置情報選択画面では、格子図作成フローおよび配置パターン導出フローを経て作成された室内機の配置パターンの全てが表示される。図１３は図４および図１０を経て作成された配置パターンであり、図１４は図６、図７および図１１を経て作成された配置パターンである。図１３および図１４のように、上述した格子図作成フローおよび配置パターン導出フローを経て作成された配置パターンが全て表示されるようになっている。なお、作成された配置パターンは、選択タブＴ１により表示を切り替えることができる。配置情報表示画面ＳＣ２右下には、戻るボタンＢ２１がある。戻るボタンＢ２１をクリックすると、前画面の空間情報等入力画面ＳＣ１に遷移することができ、各種情報を修正できる。
【００６７】
＜特徴＞
（１）
本実施形態に係る空調機配置支援システム１では、空間の床面積および室内機の台数に基づいて、単位空調面積および第１室内機間隔ａ１を算出し、第１室内機配置格子Ｇｒ１を作成している。そして、第１室内機配置格子Ｇｒ１を空間の平面図に位置づけ重心Ｇ１を基準点として５度ずつ回転させ、複数の回転格子パターンを作成している。そして、これらの複数の回転格子パターンとＥＨＰ室内機の台数およびＧＨＰ室内機の台数とに基づいて、最適第３室内機配置格子を作成している。この最適第３室内機配置格子は、ある１台のＥＨＰ室内機から残りの複数のＥＨＰ室内機までの第１間隔が少なくとも第１室内機間隔ａ１以上または第２室内機間隔ａ２以上であり第１間隔の最短が第１室内機間隔ａ１または第２室内機間隔ａ２になるように、かつ、ある１台のＧＨＰ室内機から残りの複数のＧＨＰ室内機までの第２間隔が少なくとも第３室内機間隔ａ３，ａ４以上であり第２間隔の最短が第３室内機間隔ａ３，ａ４になるように、複数の室内機を配置するものである。すなわち最適第３室内機配置格子は、ＥＨＰ室内機のみの運転の際に空間を略均等に空調できるＥＨＰ室内機の位置と、ＧＨＰ室内機のみの運転の際に空間を略均等に空調できるＧＨＰ室内機の位置として導出されている。
【００６８】
このように、複数のＥＨＰ室内機を少なくとも第１室内機間隔ａ１以上または第２室内機間隔ａ２以上離して配置しており、また、１台のＥＨＰ室内機の半径第１室内機間隔ａ１の円周上または第２室内機間隔ａ２の円周上に必ず他のＥＨＰ室内機が１台以上存在するように配置できるため、ＥＨＰ単独で空間の空調を行う場合であっても、空間を極力均等に空調することができる。同様に、複数のＧＨＰ室内機を少なくとも第３室内機間隔ａ３，ａ４以上離して配置しており、また、１台のＧＨＰ室内機の半径第３室内機間隔ａ３，ａ４の円周上に必ず他のＧＨＰ室内機が１台以上存在するように配置できるため、ＧＨＰ単独で空間の空調を行う場合であっても、空間を極力均等に空調することができる。
【００６９】
（２）
本実施形態に係る空調機配置支援システム１では、ＥＨＰ室内機およびＧＨＰ室内機を第１室内機配置格子Ｇｒ１、第２室内機配置格子Ｇｒ２、または第３室内機配置格子Ｇｒ３，Ｇｒ４の格子点に位置するように最終配置パターンを導出する。したがって、第１室内機配置格子Ｇｒ１、第２室内機配置格子Ｇｒ２、または第３室内機配置格子Ｇｒ３，Ｇｒ４の格子点に位置するように、複数のＥＨＰ室内機および複数のＧＨＰ室内機を配置できるため、容易に最終配置パターンを導出できる。
【００７０】
（３）
本実施形態に係る空調機配置支援システム１では、仮想壁Ｗ２を壁Ｗ１の第１室内機間隔ａ１の３分の１内側に設けており、室内機を配置すべき第１室内機配置格子Ｇｒ１または第２室内機配置格子Ｇｒ２の格子点が仮想壁Ｗ２の内側に室内機の台数分だけ収まるようにしている。したがって、作成される室内機配置格子は、少なくとも壁Ｗ１から第１室内機間隔ａ１の３分の１だけ離れた位置に室内機を配置するものとすることができ、壁Ｗ１から近い位置にある室内機の空調能力を有効に利用することができる。
【００７１】
（４）
本実施形態に係る空調機配置支援システム１では、複数の配置パターンが導出され、例えば、ディスプレイ３２に表示される。このように、配置パターンがディスプレイ３２に表示されるため、顧客は、室内機の配置を容易に検討できる。
【００７２】
＜変形例＞
以上、本発明の実施形態について図面に基づいて説明したが、具体的な構成は、これらの実施形態に限られるものではなく、発明の要旨を逸脱しない範囲で変更可能である。
【００７３】
（１）
上記実施形態に係る空調機配置支援システム１では、第１室内機配置格子Ｇｒ１、第２室内機配置格子Ｇｒ２、および第３室内機配置格子Ｇｒ３，Ｇｒ４を、正方格子としているが、これに限らず、各格子Ｇｒ１〜Ｇｒ４を単位格子が縦横比率を一定とする長方形である格子としても構わない。
【００７４】
（２）
上記実施形態に係る空調機配置支援システム１では、格子図作成フローチャートのステップＳ１１において仮想壁Ｗ２の位置を壁Ｗ１から第１室内機間隔ａ１の３分の１内側としているが、これに限るものではなく顧客が自由に設定できるようにしていても良い。また、格子図作成フローチャートのステップＳ１２において第１室内機間隔ａ１の９０％の大きさの第２室内機間隔ａ２の第２室内機配置格子Ｇｒ２を作成するとしているが、第２室内機間隔ａ２を第１室内機間隔ａ１の９０％縮小したものに限らず顧客が自由に設定できるようにしても構わない。
【００７５】
（３）
上記実施形態に係る空調機配置支援システム１では、格子図作成フローチャートにおいて平面図の重心Ｇ１を基点として第１室内機配置格子Ｇｒ１を５度ずつ回転させているが、回転の基点を平面図の重心Ｇ１としなくとも良く、平面図中の任意の一点であればどこであっても構わない。また、回転の角度は５度ずつに限らずに１０度ずつ、１５度ずつなどであっても構わない。
【産業上の利用可能性】
【００７６】
本発明に係る空調機配置支援システムは、ＥＨＰ室内機およびＧＨＰ室内機がそれぞれ単独で運転しても空間を略均等に空調でき、それぞれ別系統で同一空間を空調する電気式空気調和装置とガス式空気調和装置とをその空間に最適に空調できるようにそれぞれの室内機の配置支援するシステム等として有用である。
【図面の簡単な説明】
【００７７】
【図１】本実施形態にかかる空調機配置支援システムの概略構成図。
【図２】空調機配置支援システムの動作を示す図。
【図３】格子図を作成する流れを示すフローチャート図
【図４】第１室内機配置格子（第２配置パターン）を示す図。
【図５】第１室内機配置格子（第３配置パターン）を示す図。
【図６】第１室内機配置格子（４５度回転）を示す図。
【図７】第２室内機配置格子（４５度回転）を示す図。
【図８】配置パターン導出フローチャート図。
【図９】第３室内機間隔（第１間隔から第５間隔）を示す図。
【図１０】図４の第１室内機配置格子に第３室内機配置格子を描いた図。
【図１１】図７の第２室内機配置格子に第３室内機配置格子を描いた図。
【図１２】空間情報等入力画面。
【図１３】配置情報選択画面（図１０に基づく）。
【図１４】配置情報選択画面（図１１に基づく）。
【符号の説明】
【００７８】
１            空調機配置支援システム
１３ａ          配置パターンパターン導出手段
１６            ハードディスク（情報記憶部）
３２            ディスプレイ（表示部）
ａ１            第１室内機間隔（第１距離）
ａ２            第２室内機間隔（第１距離）
ａ３，ａ４      第３室内機間隔（第２距離）
Ｇｒ１          第１室内機配置格子（格子）
Ｇｒ２          第２室内機配置格子（格子）
Ｇｒ３，Ｇｒ４  第３室内機配置格子（格子）
【図１】
2009032065.tif 000003
【図２】
2009032065.tif 000004
【図３】
2009032065.tif 000005
【図４】
2009032065.tif 000006
【図５】
2009032065.tif 000007
【図６】
2009032065.tif 000008
【図７】
2009032065.tif 000009
【図８】
2009032065.tif 000010
【図９】
2009032065.tif 000011
【図１０】
2009032065.tif 000012
【図１１】
2009032065.tif 000013
【図１２】
2009032065.tif 000014
【図１３】
2009032065.tif 000015
【図１４】
2009032065.tif 000016